(57)【要約】【課題】幕板に施された光装飾（電気的装飾）が面状に光を発する、より装飾効果の高い幕板が望まれていた。【解決手段】幕板１０は、本体パネル１１、導光板取付用フレーム１２および導光板１３を有する。導光板１３は、幕板１０の正面視において、本体パネル１１の下辺沿いに延びる領域を形成している帯状面を有する。導光板１３は、幕板１０を正面側から見たとき、帯状面が面状に光り、その光る面内に所定の図柄や文字を光を用いて表示する。【効果】幕板１０における光装飾の多様化を図れ、遊技の雰囲気等を盛り上げることができる。【選択図】図２
2008289798.tif 000002
【特許請求の範囲】
【請求項１】
遊技場における遊技機設置島に配列された複数の遊技機の上部に配置され、遊技機上部領域を装飾するための幕板であって、
正面形状が横長で略矩形の本体パネルと、
前記本体パネルの少なくとも一辺沿いに組み込まれた導光板取付用フレームであって、当該フレームは、複数のＬＥＤが実装されたＬＥＤ基板が収容されたＬＥＤ基板収容部と、ＬＥＤ基板に実装された複数のＬＥＤが発する光を端面から入射させるように導光板の端部を挟持するための挟持溝とを有する導光板取付用フレームと、
前記導光板取付用フレームの前記挟持溝に着脱可能に挟持されており、正面視において、前記本体パネルの正面のうちの一辺沿いに延びる一部領域を形成している導光板と、を備え、
前記導光板には、前記ＬＥＤの点灯または点滅に応じて所定の絵柄や文字を光を用いて表示するための光反射溝が形成されていることを特徴とする、遊技機設置島用幕板。
【請求項２】
前記導光板取付用フレームは、前記本体パネルの上辺または下辺に沿って取り付けられており、
正面視において、前記導光板取付用フレームは前記本体パネルの上辺または下辺を形成しており、
前記導光板は、前記上辺または下辺に沿って所定幅で延びる長手の光表示および装飾領域を形成していることを特徴とする、請求項１記載の遊技機設置島用幕板。
【発明の詳細な説明】
【技術分野】
【０００１】
この発明は、遊技機設置島用の幕板に関する。
【背景技術】
【０００２】
遊技場においては、複数の遊技機（パチンコ機やパチスロ機）などが配列され、複数の遊技機を含む遊技機設置島が構成されている。遊技機設置島に配列された複数の遊技機の上部には、上部領域を装飾するための幕板が配置されている。
従来の幕板の一例は、たとえば特許文献１、特許文献２または特許文献３に開示されている。
【特許文献１】実登３０７１５７２号公報
【特許文献２】特開２００７−０６１５６７号公報
【特許文献３】特開２００５−０３４１９２号公報
【発明の開示】
【発明が解決しようとする課題】
【０００３】
従来の幕板は、正面視が横長矩形の単なる飾り板であり、その表面に装飾模様等が施されたものである。（たとえば特許文献１参照）そして、昨今は、幕板にＬＥＤを配列して、光による装飾効果を生じさせるものが提案されている。（たとえば特許文献２参照）また、幕板表面に呼び出しランプ等の表示器を取り付けたものや、種々のランプを配列したものも提案されている。（たとえば特許文献２、特許文献３を参照）
幕板は、遊技機の上部領域を装飾するように配置されており、通常は、蝶番を用いて取り付けられていて、開閉可能にされている。そして、遊技機設置島のメンテナンス時等には、幕板が開けられて幕板の後部空間に備えられた遊技機設備の点検等が行われる。
【０００４】
幕板は、上述のように開閉可能に設けられた遊技場設備であり、その表面に表示器や表示ランプ等が多数配置されている場合、配線の引き回し等が煩雑で、幕板を設置する際に設置しにくいといった問題があった。
一方、幕板に施す装飾は、その表面に単に絵柄が表記されているだけでは、装飾効果が乏しく、昨今安価に提供されるようになったＬＥＤ等を利用して、光による装飾効果を生じるような幕板が提案されている。（たとえば特許文献２参照）
ところが、従来の幕板には、ＬＥＤやランプ等が点灯・点滅するように配列されているにすぎないから、幕板に施された光装飾（電気的装飾）は、ＬＥＤやランプが単独で光る構成であり、より装飾効果の高い幕板が望まれていた。
【０００５】
この発明は、かかる背景のもとになされたもので、光を用いた装飾効果の高い幕板を提供することを主たる目的とする。
この発明は、幕板表面が面状に光り、従来にはない装飾効果を醸し出すことのできる幕板を提供することを他の目的とする。
【課題を解決するための手段】
【０００６】
請求項１記載の発明は、遊技場における遊技機設置島に配列された複数の遊技機の上部に配置され、遊技機上部領域を装飾するための幕板であって、正面形状が横長で略矩形の本体パネルと、前記本体パネルの少なくとも一辺沿いに組み込まれた導光板取付用フレームであって、当該フレームは、複数のＬＥＤが実装されたＬＥＤ基板が収容されたＬＥＤ基板収容部と、ＬＥＤ基板に実装された複数のＬＥＤが発する光を端面から入射させるように導光板の端部を挟持するための挟持溝とを有する導光板取付用フレームと、前記導光板取付用フレームの前記挟持溝に着脱可能に挟持されており、正面視において、前記本体パネルの正面のうちの一辺沿いに延びる一部領域を形成している導光板と、を備え、前記導光板には、前記ＬＥＤの点灯または点滅に応じて所定の絵柄や文字を光を用いて表示するための光反射溝が形成されていることを特徴とする、遊技機設置島用幕板である。
【０００７】
請求項２記載の発明は、前記導光板取付用フレームは、前記本体パネルの上辺または下辺に沿って取り付けられており、正面視において、前記導光板取付用フレームは前記本体パネルの上辺または下辺を形成しており、前記導光板は、前記上辺または下辺に沿って所定幅で延びる長手の光表示および装飾領域を形成していることを特徴とする、請求項１記載の遊技機設置島用幕板である。
【発明の効果】
【０００８】
この発明によれば、ＬＥＤの発する光が導光板の端面から入射する。そのとき、導光板の表面に任意の凹凸や模様等（導光板内を進む光を進行方向に交差方向へ反射させる溝等）を形成しておくことにより、ＬＥＤの発する光によって、導光板を用いた光装飾効果を実現することができる。
導光板を用いた光装飾は、導光板表面から光が放出されるため、面状の光装飾を達成することができる。これにより、遊技機上部空間を、所望の光装飾（電気的装飾）によって広く飾ることができ、遊技の雰囲気等を盛り上げることができる。
【０００９】
導光板は、導光板取付用フレームの挟持溝に挟持されているので、比較的容易に交換することができる。つまり、導光板取付用フレームから、導光板だけを取り外すことができるので、幕板の光装飾による意匠を変更したい場合には、導光板を交換することにより、安価に光装飾の意匠変更が可能である。
【発明を実施するための最良の形態】
【００１０】
以下には、図面を参照して、この発明の実施形態について具体的に説明をする。  
図１は、この発明の一実施形態に係る遊技機設置島用幕板１０の使用状態を示す斜視図である。
遊技場においては、複数の遊技機１（パチンコ機やパチスロ機など）が配列され、複数の遊技機１を含む遊技機設置島２が構成されている。遊技機設置島２に配列された各遊技機１の上部には、各遊技機１の上部空間を装飾するための幕板１０が設けられている。この実施形態では、幕板１０は、１台の遊技機１に対応して１枚が設けられているが、２台または３台といった複数台の遊技機に対して１枚の幕板１０が設けられる構成とすることもできる。
【００１１】
なお、遊技機設置島２の島端には、妻板３と呼ばれる装飾板が設けられる。なお、妻板３に代えて、島飾りと呼ばれる装飾具が設けられることもある。
図２は、この発明の一実施形態に係る幕板１０の正面図（図２（Ａ））および右側面図（図２（Ｂ））である。
図２を参照して、幕板１０は、正面形状が横長の矩形をしており、幅（図２（Ａ）における左右方向の寸法）がたとえば６００ｍｍ、高さ（図２（Ａ）における上下方向の寸法）がたとえば２９０ｍｍをしている。なお、幕板１０の幅は、遊技島に設置された遊技機１台毎に対応付けて配置される場合には、上述のたとえば６００ｍｍとなるが、たとえば２台の遊技機に対応付けて１枚の幕板１０が配置される場合には、その幅はたとえば１２００ｍｍとなる。
【００１２】
幕板１０は、正面形状が横長で略矩形の本体パネル１１と、本体パネル１１の下辺沿いに組み込まれた導光板取付用フレーム１２と、このフレーム１２によって挟持されている導光板１３とを含んでいる。
本体パネル１１は、木製、樹脂製、金属製、またはそれらの複合材料により構成することができ、図２（Ｂ）に示すように所定の厚み（たとえば３０ｍｍ）の板状をしている。そして、本体パネル１１の下部には、正面側から切り欠かれた組み込み用凹部１４が形成されている。組み込み用凹部１４は、本体パネル１１の下辺沿いに、本体パネル１１の幅方向に延びている。
【００１３】
導光板取付用フレーム１２およびこのフレーム１２に挟持された導光板１３は、本体パネル１１の上記組み込み用凹部１４に組み込まれている。より具体的には、本体パネル１１の下辺１５に沿って、導光板取付用フレーム１２の底面が位置するように、導光板取付用フレーム１２は、Ｌ形請け金物１６およびビス１７によって、本体パネル１１の組み込み用凹部１４に取り付けられている。
【００１４】
組み込み用凹部１４は、導光板取付用フレーム１２および導光板１３が組み込まれた際に、導光板１３の上辺を受け入れて保持する係合溝１８を備えている。係合溝１８を形成している本体パネル１１の正面側下辺１９は、図２（Ａ）に示すように、本体パネル１１の幅方向に見ると水平に延びた直線であるが、このような構成に代えて、正面側下辺１９を、波うつように本体パネル１１の幅方向に延びる曲線で構成したり、本体パネル１１の幅方向に延びる任意形状の曲線で構成してもよく、そうすることにより、導光板１３の発する光による装飾領域の形状を変化させることができる。
【００１５】
図３は、図２（Ａ）におけるＣ−Ｃに沿う拡大部分断面図である。
図３を参照して、導光板取付用フレーム１２は、たとえば、アルミニウムのモールドによって作られており、その内部に基板収容部２０を有する。より具体的には、基板収容部２０を構成する対向する内壁にそれぞれ形成された受け部２１に、ＬＥＤ基板２２が係止されることにより、基板収容部２０内の所定位置にＬＥＤ基板２２が収容されている。
【００１６】
ＬＥＤ基板２２の上面には複数のＬＥＤ２３が実装されている。複数のＬＥＤは、図示しない点灯制御回路により、点灯、点滅、調光がされる。そして、各ＬＥＤ２３の発する光を、その下端面２４から入射させるように、導光板１３が取り付けられている。より具体的には、導光板取付用フレーム１２には、挟持溝２５が形成されていて、この挟持溝２５によって、導光板１３は、その下部が着脱可能に挟持されている。そして、導光板１３の下部が挟持溝２５に挟持された状態で、導光板１３の下端面２４がＬＥＤ２３と対向する。
【００１７】
ここで、導光板取付用フレーム１２には、その内部四隅に断面形状が円弧形状の凹溝２６が形成されており、これによって、挟持溝２５にばね性が付与されている。
また、挟持溝２５の下端にはストッパ用段差２７が形成されていて、これにより、挟持溝２５に導光板１３を差し込む際に、導光板１３の差し込み深さを一定にできる。
導光板１３は、その下部が挟持溝２５により挟持されているとともに、その上部は、本体パネル１１に形成された係合溝１８内に収まっており、本体パネル１１に対してがたつくことなく一体化されている。導光板１３の背面に対向する組み込み用凹部１４の面には、たとえば黒シートが貼着され、導光板１３が光る際の光り具合が向上するようにされている。そして、導光板１３の背面には、ＬＥＤ２３の点灯および／または点滅に応じて、所定の絵柄や文字を光を利用して表示するための光反射溝２８が形成されている。この実施形態では、光反射溝２８は、断面形状が三角形状の溝となっているが、溝の断面形状は、三角形状に限らず半円形、半楕円形その他の任意の形状であってよい。また、光反射溝２８の深さは、任意でよく、要は、導光板１３の下端面２４から入射し、導光板１３内を上方へ進む光を光反射溝２８が反射して、導光板１３の正面側から見たときに、反射する光によって、所定の絵柄や文字が表示される溝であればよい。
【００１８】
この光反射溝２８は、この実施形態では導光板１３の背面に形成したが、導光板１３の正面に形成されてもよい。あるいは、背面および正面の両面に形成されてもよい。
また、この実施形態では、図２（Ａ）に示すように、光反射溝２８は、互いに平行な複数の溝であって、幕板１０の幅方向に延びる直線状の溝を例示しているが、光反射溝２８の形状は任意でよく、たとえば所定の絵柄が光で表わされたり、所定の文字が光で表わされたりというような光反射溝２８が形成されていてもよい。
【００１９】
この実施形態によれば、本体パネル１１の下部に組み込まれた導光板１３の高さ（上下方向の寸法）を変えることによって、導光板１３により表示される光装飾領域の上下方向寸法を広くでき、従来の幕板では達成されない斬新な装飾効果を有する幕板を提供することができる。
また、導光板１３は、導光板取付用フレーム１２に対して着脱可能であるから、導光板１３による光装飾の内容を変更したい場合には、導光板１３のみを交換することにより、光装飾の内容を容易に変更することができる。
【００２０】
図４は、出願人が試作したこの発明の一実施形態による幕板の斜視図であり、ＬＥＤを点灯させることにより導光板１３を光らせた状態を示している。図示のように、導光板１３により幕板１０の幅方向に延びる任意の太さの光装飾領域を幕板１０に組み込むことができ、装飾効果が向上された幕板１０を提供することができる。
上述の実施形態では、導光板取付用フレーム１２および導光板１３は、本体パネル１１の下辺に沿って取り付けられた例を説明したが、これに限らず、導光板取付用フレーム１２および導光板１３は、本体パネル１１の上辺に沿って組み込まれてもよい。あるいは、本体パネル１１の左辺または右辺に沿って組み込まれてもよい。
【００２１】
この発明は、以上説明した実施形態に限定されるものではなく、請求項記載の範囲内において種々の変更が可能である。
【図面の簡単な説明】
【００２２】
【図１】この発明の一実施形態に係る遊技機設置島用幕板の使用状態を示す斜視図である。
【図２】（Ａ）はこの発明の一実施形態に係る幕板１０の正面図であり、（Ｂ）はその右側面図である。
【図３】図２（Ａ）におけるＣ−Ｃに沿う拡大部分断面図（幕板１０の拡大部分断面図）である。
【図４】この発明の一実施形態に係る幕板の試作品の点灯状態を示す斜視図（写真）である。
【符号の説明】
【００２３】
１    遊技機
２    遊技機設置島
１０    幕板
１１    本体パネル
１２    導光板取付用フレーム
１３    導光板
１４    組み込み用凹部
２２    ＬＥＤ基板
２３    ＬＥＤ
２４    端面
２５    挟持溝
２８    光反射溝
【図１】
2008289798.tif 000003
【図２】
2008289798.tif 000004
【図３】
2008289798.tif 000005
【図４】
2008289798.tif 000006